【手続補正書】
【提出日】平成18年12月14日(2006.12.14)
【手続補正１】
【補正対象書類名】明細書
【補正対象項目名】特許請求の範囲
【補正方法】変更
【補正の内容】
【特許請求の範囲】
【請求項１】  能動バックプレーン上に定められた電気的にアドレス指定可能な要素のアレイであって、前記要素の第1の複数個の相互排他的セットを包含するアレイを含む能動バックプレーン構成であり、所定の順番で一度に一つずつ前記第１の複数個のセットの全てをアドレス指定するように構成されたセットスキャニング手段を有する能動バックプレーン構成において、この構成が、前記セットスキャニング手段と独立して前記セットの各々を選択的にアドレス指定するためのセット選択手段を更に含み、前記第１の複数個のセットのうち２つ以上または全てを同時にアドレス指定することができることを特徴とする能動バックプレーン構成。
【請求項２】  請求項１による能動バックプレーン構成において、前記セットスキャニング手段が、複数のステージを有する少なくとも１つのシフト・レジスタを包含し、前記セットの各々が、それぞれのステージの出力部に接続していることを特徴とする能動バックプレーン構成。
【請求項３】  請求項２による能動バックプレーン構成において、前記セット選択手段が、シフト・レジスタの前記ステージの各々について、その出力をラッチするための第１制御入力部を包含することを特徴とする能動バックプレーン構成。
【請求項４】  請求項３による能動バックプレーン構成において、前記ステージの各々が、前記関連ステージをラッチ解除して通常のシフト・レジスタ動作を再開させる第２制御入力部を包含することを特徴とする能動バックプレーン構成。
【請求項５】  請求項３または請求項４による能動バックプレーン構成において、前記セット選択手段が、前記第1制御入力部を選択する入力信号を、通常のシフト・レジスタ動作を禁止するための信号をともなって提供するための手段を含むことを特徴とする能動バックプレーン構成。
【請求項６】  請求項３による能動バックプレーン構成において、前記セット選択手段が、前記複数のセットの各々とそれに関連した出力部との間に論理回路を包含し、前記論理回路が、前記関連した出力部をオーバーライドする所定の第１信号を提供する第１制御入力部を有することを特徴とする能動バックプレーン構成。
【請求項７】  請求項６による能動バックプレーン構成において、前記論理回路が、前記第１信号と異なる、前記関連した出力部をオーバーライドする所定の第２信号を提供する第２制御入力部を包含することを特徴とする能動バックプレーン構成。
【請求項８】  請求項７による能動バックプレーン構成において、前記第１、第２の信号のうちの一方が他方をオーバーライドするように前記論理回路を構成したことを特徴とする能動バックプレーン構成。
【請求項９】  請求項２乃至８のいずれかによる能動バックプレーン構成において、前記出力部の各々に、デマルチプレクサが続いて接続されていることを特徴とする能動バックプレーン構成。
【請求項１０】  請求項１乃至９のいずれかによる能動バックプレーン構成において、前記アレイは、前記要素の別の複数個の相互排他的セット、この別の複数個の相互排他的セットに対する第２セットスキャニング手段、および前記別の複数個の相互排他的セットに対する第2セット選択手段を更に含むことを特徴とする能動バックプレーン構成。
【請求項１１】  請求項１０による能動バックプレーン構成において、前記アレイが、前記クロック信号を生成する手段と、一度に１つのレジスタにのみ前記クロック信号を転送するように構成した手段とを包含することを特徴とする能動バックプレーン構成。
【請求項１２】  請求項１１による能動バックプレーン構成において、前記転送手段が、一度に１セットずつ奇数個及び偶数個のセットが交互にアドレス指定されるように、前記第１および第２セットスキャニング手段の各々に交互に前記クロック信号を転送するように構成してあるか、あるいは、そのように制御できるようになっていることを特徴とする能動バックプレーン構成。
【請求項１３】  請求項１１による能動バックプレーン構成において、前記転送手段が、前記クロック信号を前記セットスキャニング手段の１つへ、そのセットの全てがアドレス指定可能とされる期間にわたって転送し、次いで、前記クロック信号を前記セットスキャニング手段の他のものへ、そのセットの全てがアドレス指定可能とされる期間にわたって転送するように構成するかあるいはそのように制御できるようになっていることを特徴とする能動バックプレーン構成。
【請求項１４】  請求項１乃至１３のうちいずれか１つによる能動バックプレーン構成において、前記要素が行列に配列されており、前記セットが前記行によって構成されていることを特徴とする能動バックプレーン構成。
【請求項１５】  請求項１０または１４による能動バックプレーン構成において、前記第１の複数個が偶数行によって構成されており、前記別の複数個が偶数行によって構成されていることを特徴とする能動バックプレーン構成。
【請求項１６】  請求項１乃至１２のうちいずれか１つによる能動バックプレーン構成において、前記要素が、第1および第２アドレス指定可能入力部を有し、前記第1アドレス指定可能入力部が前記セットスキャニング手段及び前記セット選択手段によってアドレス指定可能であり、前記構成が、複数の列の第２アドレス指定可能入力部を同時にアドレス指定することを特徴とする能動バックプレーン構成。
【請求項１７】  請求項１６による能動バックプレーン構成において、前記複数の列が、アレイのすべての列によって構成されていることを特徴とする能動バックプレーン構成。
【請求項１８】  請求項１６または請求項１７による能動バックプレーン構成において、複数のデータ入力ラインに接続した１：ｎデマルチプレクス手段を包含し、この１：ｎデマルチプレクス手段が、ｎ個の連続した同様の列出力部を前記入力ラインから順次に供給されるデータで順次にラッチするようになっており、前記列出力部が、前記第２アドレス指定可能入力部に接続していることを特徴とする能動バックプレーン構成。
【請求項１９】  請求項１８による能動バックプレーン構成において、前記デマルチプレクス手段が、デマルチプレクス機能をオーバーライドし、複数の列出力部のすべてを前記入力ラインからの同じデータでラッチする制御入力部を包含することを特徴とする能動バックプレーン構成。
【請求項２０】  請求項１乃至１９のうちいずれか１つによる能動バックプレーン構成において、前記能動バックプレーンが、半導体バックプレーンであることを特徴とする能動バックプレーン構成。
【請求項２１】  請求項１乃至２０のうちいずれか１つによる能動バックプレーン構成において、前記バックプレーンが、その上に設置され、分布するスペーサを包含し、これらのスペーサが、電気的にアドレス指定可能な要素の上方へ延びており、本質的に同じ材料で作られ、電気的にアドレス指定可能な要素のうち少なくとも１つに見出される順序と同じ順序で存在する少なくとも２つの層を包含することを特徴とする能動バックプレーン構成。
【請求項２２】  請求項１乃至２１のうちいずれか１つによる能動バックプレーン構成において、前記バックプレーンの電気的にアドレス指定可能な要素の各々が、キャパシタンスと関連した単一のトランジスタを包含することを特徴とする能動バックプレーン構成。
【請求項２３】  請求項１乃至２２による能動バックプレーン構成において、前記電気的にアドレス指定可能な要素の各々が、双安定電気回路を包含することを特徴とする能動バックプレーン構成。
【請求項２４】  請求項１乃至２３のうちいずれか１つによる能動バックプレーン構成を包含し、アレイの前記電気的にアドレス指定可能な要素の各々が、１つのピクセルを提供することを特徴とする空間光変調器。
【請求項２５】  請求項２４による空間光変調器において、電気的にアドレス指定可能な要素のアレイが、対向する基板から間隔を置いて配置してあり、電気光学材料が、アレイと基板との間に配置してあることを特徴とする空間光変調器。
【請求項２６】  請求項２５による空間光変調器において、対向する基板が、アレイの１つの要素に逆電極を提供することを特徴とする空間光変調器。
【請求項２７】  請求項２５または請求項２６による空間光変調器において、電気光学材料が、液晶材料であることを特徴とする空間光変調器。
【請求項２８】  請求項２７による空間光変調器において、電気光学材料が、スメクチック液晶材料であることを特徴とする空間光変調器。
【請求項２９】  請求項２７による空間光変調器において、電気光学材料が、キラル・スメクチック液晶材料であることを特徴とする空間光変調器。
【請求項３０】  請求項２４乃至２９のうちいずれか１つによる空間光変調器を作動させる方法であって、すべてのピクセルに同じ電界を印加する段階を包含することを特徴とする方法。
【請求項３１】  請求項２４乃至２９のうちいずれか１つによる空間光変調器を作動させる方法であって、前記アレイの前記要素が、行および列として配置してあり、前記セットが、前記行によって構成してあり、そして、前記方法が、各列に同じ信号を付与し、前記行の２つ以上を同時にアドレス指定する段階を包含することを特徴とする方法。
【請求項３２】  請求項３１による方法において、前記複数のすべてが同時にアドレス指定されることを特徴とする方法。
【請求項３３】  請求項３０または３２による方法において、前記段階中に各ピクセルに印加される電界がゼロであることを特徴とする方法。
【請求項３４】  請求項３０または３２による方法において、前記段階中に各ピクセルに印加される電界が交流電界であることを特徴とする方法。
【請求項３５】  請求項３０または３２による方法において、前記段階中に各ピクセルに印加される電界が、有限直流電界であることを特徴とする方法。
【手続補正２】
【補正対象書類名】明細書
【補正対象項目名】０００２
【補正方法】変更
【補正の内容】
【０００２】
この明細書における好ましい実施例に関して説明する空間光変調器は、能動半導体バックプレーンと共通の正面電極との間に配置したスメクチック液晶層の形を採る。これは、ディスプレイ装置としてのみならず、他の光学処理形態（たとえば、相関・ホログラフィック・スイッチング）についても潜在的な用途を有する、比較的多数のピクセルを包含する急速で、できるならば、安価な空間光変調器についての要求に応じて開発されたものである。この装置の他の態様は、整然とした出願日、優先権日を持つ我々の係属中の国際特許出願で扱われている（PCT/GB99/04285(代理人整理番号P20957WO),優先権GB9827952.4; PCT/GB99/04286及びPCT/GB99/042768(代理人整理番号P20958WO及びP20958WO1)、共に優先権GB9827965.6; PCT/GB99/042828 (代理人整理番号P20959WO),優先権GB9827900.3; PCT/GB99/04279(代理人整理番号P20960WO),優先権GB9827901.1; PCT/GB99/04275(代理人整理番号P20962WO),優先権GB9827945.8並びにPCT/GB99/04260及びPCT/GB99/042677(代理人整理番号20963WO, P20963WO1)、共に優先権GB9827944.1参照）。
【手続補正３】
【補正対象書類名】明細書
【補正対象項目名】００１７
【補正方法】変更
【補正の内容】
【００１７】
コンピューティングと関連したＲＡＭのタイプとは対照的に、ピクセル回路、より重要には、ピクセル・トランジスタは、しばしば、少なくとも部分的に光にさらされる。このことは、特にピクセルがＤＲＡＭ回路の一部であるＤＲＡＭタイプ・バックプレーンの場合、光誘起導電率および電荷漏洩を含む問題の原因になり得る。この局面は、我々の係属中の出願でより詳しく扱われている（PCT/GB99/04279(代理人整理番号P20960WO参照)）。
【手続補正４】
【補正対象書類名】明細書
【補正対象項目名】００２５
【補正方法】変更
【補正の内容】
【００２５】
しかしながら、液晶厚さがバックプレーンの下層構造と関連した厚さに近くなるほど、また、液晶セル構造が基板の撓みあるいは他の動きによって変形する可能性があるため、問題が生じる。たとえば、ピルセル面積を横切っての応答の一様性およびセル厚さを横切っての短絡の可能性についての問題が生じる。これらのファクタは、我々の係属中の出願でより詳しく扱われている（PCT/GB99/04282(代理人整理番号P20959WO参照)）。
【手続補正５】
【補正対象書類名】明細書
【補正対象項目名】００２９
【補正方法】変更
【補正の内容】
【００２９】
１つの解決策は、アドレス指定パルス中に急速に荷電される付加的な「スラグ」キャパシタンスを与えることであり、こうすれば、容量性要素がより長い時間にわたって切り換えを行いながら電荷溜めを得ることができる。この局面は、我々の係属中の出願においてさらに詳しく扱われている（PCT/GB99/04279(代理人整理番号P20960WO参照)）。この参考資料は、それぞれの第１電極を付勢するための半導体基板上のアドレス指定可能な能動要素のアレイを包含する半導体能動バックプレーンを提供することに関するものであり、そこでは、少なくとも、前記電極の下方にある領域の一部が、コンデンサとして作用するようになっている。特に、前記部分は空乏領域として形成することができ、それによって、使用時、逆バイアス・ダイオードとして作用する。あるいは、個別のコンデンサ・プレートを電極下方に形成し、１つを基板に接続し、他方を電極に接続するようにしてもよい。
【手続補正６】
【補正対象書類名】明細書
【補正対象項目名】００６２
【補正方法】変更
【補正の内容】
【００６２】
図１は、厚膜アルミナ・ハイブリッド基板またはチップ・キャリア２上に装着した液晶セル１の概略横断面図である。このセル１は、図２の展開図に示してある。電気光学装置を装着するためのハイブリッド基板の使用は、我々の係属中の出願でさらに詳しく論議されている（PCT/GB99/04285(代理人整理番号P20960WO参照)）。
【手続補正７】
【補正対象書類名】明細書
【補正対象項目名】００８７
【補正方法】変更
【補正の内容】
【００８７】
図５、６において、ステップ(ａ)は、トランジスタ５２、特にそのゲート領域が金属コンダクタ６０、６１の直ぐ下に位置している限り実施される。この場合、領域６６（特に感光性が強い）によって提供されるダイオードは、ミラー層６５によって大きく隠されている。スラグ・キャパシタンスおよび光導電性効果の回避に関するさらなる詳細は、我々の係属中の出願に見出される（PCT/GB99/04279(代理人整理番号P20960WO参照)）。
【手続補正８】
【補正対象書類名】明細書
【補正対象項目名】０１２５
【補正方法】変更
【補正の内容】
【０１２５】
（ａ）バイナリ／グレイ・スケール
したがって、たとえば、バイナリ変調とグレイ・スケール変調の選択がある。グレイ・スケール変調それ自体は、各ピクセルを横切って印加される振幅電圧の適当な制御によってアナログ的に達成され得る（先に述べたelectroclinicな効果参照）が、表示目的のためには、アレイに可変仮変調を行って見かけ上のグレイ・スケールを得る方が有利である。さらに有利には、アレイをデジタル的にこのように駆動する。この局面は、我々の係属中の出願にさらに詳しく記載されている（PCT/GB99/04260およびPCT/GB99/04277参照）)。
【手続補正９】
【補正対象書類名】明細書
【補正対象項目名】０１７０
【補正方法】変更
【補正の内容】
【０１７０】
上記および他の像形成機構が大域ブランクを使用しているものとして図示したが、ブランクの任意のものあるいはすべてを、すべての列がブランキング電圧に保持されるさらに別のフレーム・スキャンと取り替え得ることは了解されたい。これらの機構は、我々の係属中の出願の主題をなしている（PCT/GB99/04275(代理人参照番号P20962ＷＯ))。